(57)【要約】【課題】  パーティションを傷付けずに取り付けられ、且つ容易に長さを調整可能な開閉式パーティションの筋交いを提供する。【解決手段】  開口部１０３を開閉できるように開口部１０３の一側部に蝶番２によって回動可能なパーティション３に取り付けられる筋交い１であって、この筋交い１が長さ調整可能に連結された上部筋交い１１および下部筋交い１２を含み、上部筋交い１１の上端には、パーティション３の枠体３０の上部コーナー部３０ａを挟む上部掴み金具５が接続され、下部筋交い１２の下端には、パーティション３の下部コーナー部３０ｂを挟む下部掴み金具６が接続されている。【選択図】図１
0003206467.tif 000002
【実用新案登録請求の範囲】
【請求項１】
開口部を開閉できるように開口部の一側部に蝶番によって回動可能なパーティションに取り付けられる筋交いであって、この筋交いが長さ調整可能に連結された上部筋交いおよび下部筋交いを含み、
前記上部筋交いの上端には、前記パーティションの枠体の上部コーナー部を挟む上部掴み金具が接続され、前記下部筋交いの下端には、前記パーティションの下部コーナー部を挟む下部掴み金具が接続されていることを特徴とするパーティションの筋交い。
【請求項２】
前記上部筋交いおよび下部筋交いは、それぞれ高さ方向に複数の貫通孔が配列されており、上部筋交いおよび下部筋交いの一方または両方をスライドさせ、所望の位置で貫通孔同士を一致させてピンまたはボルトにより上部筋交いおよび下部筋交いを固定する請求項１に記載のパーティションの筋交い。
【請求項３】
前記上部掴み金具および下部掴み金具が、それぞれ上部筋交いおよび下部筋交いに回転可能に接続されている請求項１または２に記載のパーティションの筋交い。
【請求項４】
前記上部掴み金具が、
パーティションの枠体の上部コーナー部の上面と正面とに当接するよう取り付けられ、且つそれぞれの面からピンまたはボルトが突出する第１のＬ字型部材と、
前記第１のＬ字型部材の前記上部コーナー部の正面から突出したピンまたはボルトに挿通され、パーティションの枠体の側面と正面とに当接する第２のＬ字型部材と、
前記第２のＬ字型部材の正面から突出した前記第１のＬ字型部材のピンまたはボルトに挿通され、端部にピンまたはボルトを有する上部接続部材と、
前記第１のＬ字型部材の上面から突出したピンまたはボルトに挿通され、一端が前記パーティションの枠体の裏面と当接し、他端の貫通孔から挿入されたピンまたはボルトが、前記上部接続部材の正面を押圧して固定するコ字型部材と、を含み、
前記上部接続部材に設けたピンまたはボルトが、前記上部筋交いの上端の貫通孔を挿通し、ナットにより前記上部筋交いが回動可能に締められる請求項１〜３のいずれかに記載のパーティションの筋交い。
【請求項５】
前記下部掴み金具が、
パーティションの枠体の下部コーナー部の下面と正面とに当接するよう取り付けられ、且つそれぞれの面からピンまたはボルトが突出する第３のＬ字型部材と、
前記第３のＬ字型部材の前記下部コーナー部の正面から突出したピンまたはボルトに挿通され、パーティションの枠体の側面と正面とに当接する第４のＬ字型部材と、
一面が前記第４のＬ字型部材の表面から突出した前記第３のＬ字型部材のピンまたはボルトに挿通されて固定され、他面がナットで一端が固定された長さ調整ボルトを有する第５のＬ字型部材と、
前記第３のＬ字型部材の前記の下部コーナー部の下面から突出したピンまたはボルトに挿通され、一端が前記パーティションの枠体の裏面と当接し、他端の貫通孔から挿入されたピンまたはボルトが、前記第５のＬ字型部材の表面を押圧して固定するコ字型部材と、を含み、
前記第５のＬ字型部材の長さ調整ボルトが、下部筋交いの下端の貫通孔を挿通し、ナットにより締められることで、前記下部筋交いと前記第５のＬ字形部材との間隙を調整する請求項１〜４のいずれかに記載のパーティションの筋交い。
【考案の詳細な説明】
【技術分野】
【０００１】
本考案は、マンション等の集合住宅のベランダにおいて隣家との間仕切りや目隠し等として用いられる開閉式パーティションの筋交いに関する。
【背景技術】
【０００２】
マンション等の集合住宅のベランダに設置されるパーティションは、主に枠体と、この枠体に囲まれたパネル部とから構成され、隣家との間仕切りや目隠し等として使用される。また、ベランダの改修工事中は、このパーティションを開けて各戸間を工事作業員が行き来できるのが作業効率のうえから望ましい。そのため、特許文献１に記載されるように、ベランダの壁面あるいは手摺と、パーティションの一側部とに蝶番を取り付けて、開閉可能にした開閉式パーティションが用いられている。近年このような開閉式パーティションは年々大型化傾向にあり、例えば幅1500ｍｍ以上×縦2000ｍｍ以上などの大きさも一般的となってきている。
【０００３】
しかしながら、従来大型のパーティションは、開閉することを想定していないので大きさの割にはパーティションの枠体が細く、この細い枠体に複数箇所金具固定用の穴を空け、ベランダの壁面と手摺にそれぞれ金具で固定する事で形を維持している。大型のパーティションを開閉式にした場合、蝶番取り付け側枠の対枠は、パーティションの自重で下方に歪みが生じ、この状態で数ヶ月間も開閉に使用すればパーティション枠体の形状が変化してしまい、後から元の形状（現状）に戻すことは難しい。現状に回復するためには、枠体に設けた金具固定用の元穴が下がり過ぎて再利用できず、現状に合わせた位置に新たに金具固定用の穴を開けなければならず、パーティションに傷をつけてしまうという問題がある。
【０００４】
このような問題を解決するため、従来、開閉するパーティションの枠体に、アルミニウムや鉄などから構成された板状や棒状の部材を用いた筋交いを現場で調達して設置し、強度を補強している。しかしながら、パーティションの大きさや枠体の形状は現場毎に異なるので、このような筋交いは使い捨てにされる。さらに、別の現場では別の長さの筋交いを設置する必要があり、作業が煩雑になるという問題がある。
【先行技術文献】
【特許文献】
【０００５】
【特許文献１】特開２００２−３６４０６４号公報
【考案の概要】
【考案が解決しようとする課題】
【０００６】
本考案の課題は、パーティションを傷付けずに取り付けられ、且つ容易に長さを調整可能な開閉式パーティションの筋交いを提供することである。
【課題を解決するための手段】
【０００７】
本考案は、上記課題を解決するべく完成されたものであって、以下の構成からなる。
（１）開口部を開閉できるように開口部の一側部に蝶番によって回動可能なパーティションに取り付けられる筋交いであって、この筋交いが長さ調整可能に連結された上部筋交いおよび下部筋交いを含み、前記上部筋交いの上端には、前記パーティションの枠体の上部コーナー部を挟む上部掴み金具が接続され、前記下部筋交いの下端には、前記パーティションの下部コーナー部を挟む下部掴み金具が接続されていることを特徴とするパーティションの筋交い。
（２）前記上部筋交いおよび下部筋交いは、それぞれ高さ方向に複数の貫通孔が配列されており、上部筋交いおよび下部筋交いの一方または両方をスライドさせ、所望の位置で貫通孔同士を一致させてピンまたはボルトにより上部筋交いおよび下部筋交いを固定する（１）に記載のパーティションの筋交い。
（３）前記上部掴み金具および下部掴み金具が、それぞれ上部筋交いおよび下部筋交いに回転可能に接続されている（１）または（２）に記載のパーティションの筋交い。
（４）前記上部掴み金具が、パーティションの枠体の上部コーナー部の上面と正面とに当接するよう取り付けられ、且つそれぞれの面からピンまたはボルトが突出する第１のＬ字型部材と、前記第１のＬ字型部材の前記上部コーナー部の正面から突出したピンまたはボルトに挿通され、パーティションの枠体の側面と正面とに当接する第２のＬ字型部材と、前記第２のＬ字型部材の正面から突出した前記第１のＬ字型部材のピンまたはボルトに挿通され、端部にピンまたはボルトを有する上部接続部材と、前記第１のＬ字型部材の上面から突出したピンまたはボルトに挿通され、一端が前記パーティションの枠体の裏面と当接し、他端の貫通孔から挿入されたピンまたはボルトが、前記上部接続部材の正面を押圧して固定するコ字型部材と、を含み、前記上部接続部材に設けたピンまたはボルトが、前記上部筋交いの上端の貫通孔を挿通し、ナットにより前記上部筋交いが回動可能に締められる（１）〜（３）のいずれかに記載のパーティションの筋交い。
（５）前記下部掴み金具が、パーティションの枠体の下部コーナー部の下面と正面とに当接するよう取り付けられ、且つそれぞれの面からピンまたはボルトが突出する第３のＬ字型部材と、前記第３のＬ字型部材の前記下部コーナー部の正面から突出したピンまたはボルトに挿通され、パーティションの枠体の側面と正面とに当接する第４のＬ字型部材と、一面が前記第４のＬ字型部材の表面から突出した前記第３のＬ字型部材のピンまたはボルトに挿通されて固定され、他面がナットで一端が固定された長さ調整ボルトを有する第５のＬ字型部材と、前記第３のＬ字型部材の前記の下部コーナー部の下面から突出したピンまたはボルトに挿通され、一端が前記パーティションの枠体の裏面と当接し、他端の貫通孔から挿入されたピンまたはボルトが、前記第５のＬ字型部材の表面を押圧して固定するコ字型部材と、を含み、前記第５のＬ字型部材の長さ調整ボルトが、下部筋交いの下端の貫通孔を挿通し、ナットにより締められることで、前記下部筋交いと前記第５のＬ字形部材との間隙を調整する（１）〜（４）のいずれかに記載のパーティションの筋交い。
【考案の効果】
【０００８】
本考案によれば、筋交いがパーティションの枠体の上部コーナー部および下部コーナー部を、それぞれ挟んで取り付けられる上部掴み金具および下部掴み金具を備えているので、パーティションを傷つけることなく設置でき、開閉によるパーティションの枠体の歪みの発生を抑止することができる。
また、本考案の筋交いは、長さを調整できるので、異なる形状や大きさのパーティションに対応することができる。さらに、筋交いの上部掴み金具および下部掴み金具を回転させることにより、パーティションの表裏・左右どちらにも使用できる。
また、筋交いは使用後に取り外して、別の現場で再利用することができる。このとき、筋交いは簡単に分解および組み立てができるので、運搬や設置作業が煩雑にならない。
【図面の簡単な説明】
【０００９】
【図１】本考案の一実施形態に係る開閉式パーティションの筋交いの使用形態を示す側面図であり、（ａ）はパーティションを閉じた状態の正面図であり、（ｂ）は開けた状態の正面図である。
【図２】パーティションの施錠金具を示す平面図である。
【図３】（ａ）は本考案の一実施形態における上部筋交いの正面図であり、（ｂ）は下部筋交いの正面図である。
【図４】（ａ）は本考案の一実施形態における上部掴み金具の正面図であり、（ｂ）は側面図、（ｃ）は上面図、（ｄ）は背面図である。
【図５】（ａ）は本考案の一実施形態における下部掴み金具の正面図であり、（ｂ）は側面図、（ｃ）は下面図、（ｄ）は背面図である。
【図６】（ａ）〜（ｆ）は本考案の一実施形態における上部掴み金具の取り付け手順を示す側面図であり、（ａ´）〜（ｆ´）は正面図である。
【図７】（ａ）〜（ｆ）は本考案の一実施形態における下部掴み金具の取り付け手順を示す側面図であり、（ａ´）〜（ｆ´）は正面図である。
【考案を実施するための形態】
【００１０】
以下、本考案の一実施形態に係るパーティションの筋交いについて、図面を参照して説明する。
【００１１】
図１（ａ）および（ｂ）に示すように、筋交い１は、ベランダ１００の手摺壁１０１と建物躯体壁１０２との間の開口部１０３を開閉するパーティション３に取り付けられる。パーティション３は、左右の縦枠３１と上下の横枠３２とを含む枠体３０で囲まれたドアパネル３３（面材）からなり、建物躯体壁１０２側の蝶番２によって、開口部１０３を開くように回動する（図１（ｂ））。また、閉じたパーティション３は、縦枠３１に装着された施錠金具本体４１と、手摺壁１０１側から突出した戸当たり金具４２とを含む施錠金具４に係止されて施錠されている。
【００１２】
（パーティション）
パーティション３の縦枠３１、横枠３２およびドアパネル３３の材質は特に限定されるものではなく、縦枠３１と横枠３２としては、例えば、スチール、アルミニウム、ステンレス等の不燃材が挙げられる。また、ドアパネル３３には、不燃材で且つ火災等不測の事態に備えて破壊し易い材質を用いてもよく、例えば、ケイ酸カルシウム板等が挙げられる。
このパーティション３の枠体３０の厚みは２５〜５０ｍｍであるのがよい。
【００１３】
（施錠金具）
施錠金具４の施錠金具本体４１は、図２に示すように、パーティション３の縦枠３１に取り付けられる。この施錠金具本体４１は、上面視したときに略コ字型となるように曲げ加工で一体成型され、連結板部４３とその両側の側板部４４、４４とからなる部材であり、連結板部４３にボルト４３１を挿通する孔部を少なくとも１つは有する。このとき、施錠金具本体４１が戸当り金具４２に対して上下に移動できるように、連結板部４３の孔部はパーティション３の縦方向に伸びる長穴であるのがよい。また、戸当たり金具４２は、略Ｌ字型のプレートであり、このうち取り付け板部４２１が手摺壁１０１にボルト４２０で取り付けられ、他面の戸当り部４２２が開口部１０３内に突出している。施錠金具本体４１を下げることで側板部４４と縦枠３１とに挟まれて係止され、ボルト４３１を締めることにより施錠できる。
【００１４】
（蝶番）
蝶番２は、パーティション３の縦枠３１と建物躯体壁１０２とに、それぞれボルト２１、２２で取り付けられる略Ｌ字型のプレートであり、パーティション３を回動可能にする。
この蝶番２は特に限定されないが、例えば、強風対策としてトルク蝶番を使用してもよい。また、蝶番２は複数箇所設けてもよい。
この蝶番２は、例えばベランダ１００の壁面のアンカー穴を再利用して設置すると、ベランダ１００の外観を損なわない。
【００１５】
施錠方法は、縦枠３１に取り付けた施錠金具本体４１を連結板部４３の孔部に沿ってスライドさせて上に持ち上げた状態で、蝶番２を回動させてパーティション３を閉じ、戸当り金具４２の戸当り部４２２をパーティション３との間に挟んだ状態で、施錠金具本体４１を下ろし、ボルト４３１を締めることで施錠される。この後、さらに施錠金具本体４１と戸当り部４２２とにそれぞれ穴部（図示せず）を設け、これにピンまたはボルト（図示せず）を挿入し施錠してもよい。解錠方法はこの逆を行えばよい。
【００１６】
（筋交い）
筋交い１は、図１（ａ）に示すように、パーティション３の対角線上に相対向する上部筋交い１１と下部筋交い１２とを含み、長さ調整可能に連結されたものである。上部筋交い１１の上端には、パーティション３の枠体３０の上部コーナー部３０ａを挟んで取り付ける上部掴み金具５が接続され、下部筋交い１２の下端には、枠体３０の下部コーナー部３０ｂを挟んで取り付ける下部掴み金具６が接続されている。
【００１７】
上部筋交い１１は、図３（ａ）に示すように、上端に上部掴み金具５とピンまたはボルトで固定するための貫通孔１１ａが設けられる。下部筋交い１２は、図３（ｂ）に示すように、Ｌ字型に形成されているのがよく、下端の短形部分には、下部掴み金具６とピンまたはボルトで接続するための貫通孔１２ａが設けられる。
【００１８】
筋交い１の上部筋交い１１と下部筋交い１２の連結は、筋交い１が長さ調整可能であれば、特に限定されない。例えば、上部筋交い１１と下部筋交い１２との間に、それぞれと連結される中間材（図示せず）で、長さ調整を行う方法などがあるが、好ましくは、図３（ａ）および（ｂ）に示すように、上部筋交い１１および下部筋交い１２のそれぞれの高さ方向に配列された複数の貫通孔１３、１３´を用いる方法がよい。すなわち、筋交い１の長さを調整するときは、上部筋交い１１および下部筋交い１２の一方または両方をスライドさせ、少なくとも１つの貫通孔１３、１３´同士を所望の位置にて一致させて、ピンまたはボルトにより上部筋交い１１および下部筋交い１２を固定する。この貫通孔１３、１３´は、それぞれ上部筋交い１１および下部筋交い１２に、同じピッチで複数個設けられていればよいが、好ましくはそれぞれ５０ピッチで１２箇所以上設けるのがよい。この筋交い１は、１５００ｍｍ〜２７００ｍｍ程度まで自在に長さを調整して使用することができる。
【００１９】
上部筋交い１１および下部筋交い１２の材質や形状は特に限定されるものでないが、例えば、金属の板状部材がよく、中でもアルミニウム製のフラットバー（板状部材）を曲げ加工したものが好ましい。
この筋交い１はパーティション３の表裏面に少なくとも１つ設置されていればよい。また、パーティション３の同一面のそれぞれの対角線上に相対向に２つ設置してもよい。
【００２０】
上部掴み金具５および下部掴み金具６は、それぞれ上部筋交い１１および下部筋交い１２に回転可能に接続されている。そのため、上部掴み金具５および下部掴み金具６が回転することにより、パーティション３の表裏・左右のいずれにも筋交い１を使用することができる。さらに、上部掴み金具５および下部掴み金具６を反対にしてパーティション３に筋交い１を取り付けることもできる。
【００２１】
（上部掴み金具）
筋交い１の上部筋交い１１に接続される上部掴み金具５は、図４（ａ）〜（ｄ）に示すように、枠体３０の上部コーナー部３０ａを挟んで取り付けられる。この上部掴み金具５は、上部コーナー部３０ａの上面と正面と裏面と側面に当接する。
この上部掴み金具５は、上部コーナー部３０ａの上面と表面とに当接し、この上面と正面からそれぞれボルト５１，５２が突出する第１のＬ字型部材５ａと、この第１のＬ字型部材５ａのボルト５２に挿通され、上部コーナー部３０ａの側面と正面とに当接する第２のＬ字型部材５ｂと、第２のＬ字型部材５ｂの表面から突出した第１のＬ字型部材５ａのボルト５２に挿通され、段差を有する端部からボルト５３を有する上部接続部材５ｃと、第１のＬ字型部材５ａのボルト５１に挿通されるコ字型部材５ｄとを含む。
【００２２】
枠体３０の上部方向に突出する第１のＬ字型部材５ａのボルト５１は、コ字型部材５ｄの貫通孔５０ｄを挿通し、ナット５１１で締められて固定される。この貫通孔５０ｄは、枠体３０の種々の厚みに対応するため、長孔であってもよい（図４（ｃ））。
【００２３】
枠体３０の正面方向に突出する第１のＬ字型部材５ａのボルト５２は、第２のＬ字型部材５ｂの貫通孔５０ｂと、上部接続部材５ｃの貫通孔５０ｃとを挿通し、ナット５２１で締められて固定される（図４（ｂ））。
【００２４】
上部接続部材５ｃのボルト５３は、上部筋交い１１の上端の貫通孔１１ａを挿通し、ナット５３１により締められる。このナット５３１を緩めることで、上部筋交い１１は回動可能となる。なお、ナット５３１は、工具を使用せず人の手で簡単に締めたり緩めたりする蝶ナットが好ましい。
【００２５】
コ字型部材５ｄは、一端が上部コーナー部３０ａの裏面と当接し、他端が貫通孔５０ｄ´を備える。この貫通孔５０ｄ´から挿通されたボルト５４は、下部の上部接続部材５ｃを押圧し固定する。
なお、それぞれのボルト５１〜５４に代えてピン（図示せず）を適宜使用してもよい。
【００２６】
（下部掴み金具）
筋交い１の下部筋交い１２に接続される下部掴み金具６は、図５（ａ）〜（ｄ）に示すように、枠体３０の下部コーナー部３０ｂを挟んで取り付けられる。この下部掴み金具６は、下部コーナー部３０ｂの下面と正面と裏面と側面に当接する。
この下部掴み金具６は、パーティション３の枠体３０の下部コーナー部３０ｂの下面と正面とに当接し、この下面と正面からそれぞれボルト６１，６２が突出する第３のＬ字型部材６ａと、この第３のＬ字型部材６ａのボルト６２に挿通され、下部コーナー部３０ｂの側面と正面とに当接する第４のＬ字型部材６ｂと、この第４のＬ字型部材６ｂの表面から突出した第３のＬ字型部材６ａのボルト６２に挿通され、ナット６０１で一端が固定された長さ調整ボルト６６を有する第５のＬ字型部材６ｃと、第３のＬ字型部材６ａから突出したボルトに挿通され、一端が前記パーティションの枠体の裏面と当接し、他端の貫通孔から挿入されたボルト６１が挿通され、第５のＬ字型部材６ｃの表面を押圧して固定するコ字型部材６ｄとを含む。
この下部掴み金具６は、下部筋交い１２の一端に設けた貫通孔１２ａと、第５のＬ字型部材６ｃの長さ調整ボルト６０にて接続される。
【００２７】
枠体３０の下部コーナー部３０ｂの下部方向に突出する第３のＬ字型部材６ａのボルト６１は、コ字型部材６ｄの貫通孔６０ｄに挿通され、ナット６１１で締められて固定される。この貫通孔６０ｄは長孔でもよい（図５（ｃ））。
【００２８】
枠体３０の正面方向に突出する第３のＬ字型部材６ａのボルト６２は、第４のＬ字型部材６ｂの貫通孔６０ｂと、第５のＬ字型部材６ｃの貫通孔６０ｃとを挿通し、ナット６２１で締められて固定される（図５（ｂ））。なお、ナット６２１を緩めることで、第５のＬ字型部材６ｃの方向を変えることができる。
【００２９】
第５のＬ字型部材６ｃは、下部筋交い１２の一端の貫通孔１２ａを挿通する、ナット６０１で一端が固定された長さ調整ボルト６６を有する。この長さ調整ボルト６６は、ナット６６１により締められることで、下部筋交い１２の一端との間隙の距離を調整し、筋交い１の長さを変更することができる。なお、ナット６６１は、工具を使用せず人の手で簡単に締めたり緩めたりする蝶ナットが好ましい。
【００３０】
コ字型部材６ｄは、一端が下部コーナー部３０ｂの裏面と当接し、他端が貫通孔６０ｄ´を備える（図５（ｂ）参照）。この貫通孔６０ｄ´から挿入されたボルト６３は、下部の第５のＬ字型部材６ｃを押圧し固定する。
なお、それぞれのボルト６１〜６３に代えてピン（図示せず）を適宜使用してもよい。
【００３１】
上記した上部掴み金具５および下部掴み金具６は、一部に共通の部材を使用してコストを下げることもできる。共通の部材としては、例えば、第１のＬ字型部材５ａと第３のＬ字型部材６ａ、第２のＬ字型部材５ｂと第４のＬ字型部材６ｂ、コ字型部材５ｄとコ字型部材６ｄ、およびそれぞれの部材に取り付けられるボルトとナットが挙げられる。
【００３２】
上部掴み金具５および下部掴み金具６は、現場で簡単に組み立ておよび分解ができる。
図６（ａ）〜（ｆ）および（ａ´）〜（ｆ´）は、上部掴み金具５のパーティション３の枠体３０の上部コーナー部３０ａへの取り付け手順を示す側面図および正面図である。なお、各部材の説明は上記した通りであるので省略する。
【００３３】
まず、図６（ａ）および（ａ´）に示すように、第１のＬ字型部材５ａを上部コーナー部３０ａの上面と正面に当接させて取り付ける。第１のＬ字型部材５ａには、上部方向にボルト５１，正面方向にボルト５２が設けられている。
【００３４】
次に、図６（ｂ）および（ｂ´）に示すように、第２のＬ字型部材５ｂを、第１のＬ字型部材５ａ上から上部コーナー部３０ａの側面と正面に当接させて取り付ける。このとき、第１のＬ字型部材５ａのボルト５２は、第２のＬ字型部材５ｂの貫通孔５０ｂを貫通する。
【００３５】
次に、図６（ｃ）および（ｃ´）に示すように、第２のＬ字型部材５ｂ上に上部接続部材５ｃを設置する。このとき、上部接続部材５ｃの貫通孔５０ｃに、第２のＬ字型部材５ｂ上に突出した第１のＬ字型部材５ａのボルト５２を挿通させて、ナット５２１を締めて、上部接続部材５ｃを第２のＬ字型部材５ｂに固定する。
【００３６】
次に、図６（ｄ）および（ｄ´）に示すように、一端が上部コーナー部３０ａの裏面と当接し、他端に貫通孔５０ｄ´と、上面側に貫通孔５０ｄとを備えるコ字型部材５ｄを第１のＬ字型部材５ａ上に設置する。このとき、第１のＬ字型部材５ａのボルト５１は、コ字型部材５ｄの上面側の貫通孔５０ｄを挿通する。
【００３７】
次に、図６（ｅ）および（ｅ´）に示すように、コ字型部材５ｄの貫通孔５０ｄを挿通した第１のＬ字型部材５ａのボルト５１を、ナット５１１で締められて固定する。また、貫通孔５０ｄ´にボルト５４を挿通させ、このボルト５４をナット５４１で締めて上部接続部材５ｃを押圧し、コ字型部材５ｄの当接面との間で枠体３０を挟んで固定する。
また、上部接続部材５ｃのボルト５３に、上部筋交い１１の貫通孔１１ａを挿通させる。
【００３８】
最後に、図６（ｆ）および（ｆ´）に示すように、上部筋交い１１の角度を適宜定めた後、上部筋交い１１の貫通孔１１ａを挿通した上部接続部材５ｃのボルト５３をナット５３１で締められて固定する。
なお、上部掴み金具５を分解するときは、上記した手順を逆から行えばよい。
【００３９】
図７（ａ）〜（ｆ）および（ａ´）〜（ｆ´）は、下部掴み金具６のパーティション３の枠体３０の下部コーナー部３０ｂへの取り付け手順を示す側面図および正面図である。
【００４０】
まず、図７（ａ）および（ａ´）に示すように、第３のＬ字型部材６ａを下部コーナー部３０ｂの下面（底面）と正面に当接させて取り付ける。第３のＬ字型部材６ａには、下部方向にボルト６１，正面方向にボルト６２が設けられている。
【００４１】
次に、図７（ｂ）および（ｂ´）に示すように、第４のＬ字型部材６ｂを、第３のＬ字型部材６ａ上から下部コーナー部３０ｂの側面と正面に当接させて取り付ける。このとき、第３のＬ字型部材６ａのボルト６２は、第４のＬ字型部材６ｂの貫通孔６０ｂを貫通する。
【００４２】
次に、図７（ｃ）および（ｃ´）に示すように、第４のＬ字型部材６ｂ上に、第５のＬ字型部材６ｃを設置する。この第５のＬ字型部材６ｃは、一面に設けた貫通孔６０ｃに、第４のＬ字型部材６ｂの貫通孔６０ｂから突出した第３のＬ字型部材６ａのボルト６２が挿通されて、ナット６２１で固定され、他面には、ナット６０１で一端が固定された長さ調整ボルト６６を有する。
【００４３】
次に、図７（ｄ）および（ｄ´）に示すように、一端が下部コーナー部３０ｂの裏面と当接し、他端に貫通孔６０ｄ´と、上面側に貫通孔６０ｄとを備えるコ字型部材６ｄを第３のＬ字型部材６ａ上に設置する。このとき、第３のＬ字型部材６ａのボルト６１は、コ字型部材６ｄの下面側の貫通孔６０ｄを挿通する。
【００４４】
次に、図７（ｅ）および（ｅ´）に示すように、コ字型部材６ｄの貫通孔６０ｄを挿通した第３のＬ字型部材６ａのボルト６１を、ナット６１１で締められて固定する。また、貫通孔６０ｄ´にボルト６３を挿通させ、このボルト６３をナット６３１で締めて第５のＬ字型部材６ｃを押圧し、コ字型部材６ｄの当接面との間で枠体３０を挟んで固定する。
【００４５】
最後に、図７（ｆ）および（ｆ´）に示すように、第５のＬ字型部材６ｃの長さ調整ボルト６６を、下部筋交い１２の下端の貫通孔１２ａに挿通させた後、筋交い１が所望の長さになるようにナット６６１を締めて調整して固定する。
【００４６】
以上、説明したように、筋交い１は、パーティション３の枠体３０の上部コーナー部３０ａおよび下部コーナー部３０ｂを、それぞれ上部掴み金具５および下部掴み金具６で挟んで取り付けられる。そのため、パーティション３にねじ穴などを開けたりして傷つけることなく設置できる。また、この筋交い１は、上部筋交い１１と下部筋交い１２とを含んでいるため長さを調整できるので、異なる形状や大きさのパーティション３に柔軟に対応することができる。さらに、上部掴み金具５および下部掴み金具６を回転させることにより、パーティション３の表裏・左右どちらにも使用できる。
さらに、この筋交い１は、使用後にパーティション３から取り外して、別の現場で再利用することができる。このとき、筋交い１を構成する部材は、それぞれ簡単に分解および組み立てができるので、運搬や設置作業が煩雑にならない。
【符号の説明】
【００４７】
１    筋交い
１１    上部筋交い
１２    下部筋交い
１３、１３´  貫通孔
２    蝶番
３    パーティション
３０  枠体
３０ａ  上部コーナー部
３０ｂ  下部コーナー部
３１  縦枠
３２  横枠
３３  ドアパネル
４    施錠金具
４１  施錠金具本体
４２  戸当り金具
４２１  取り付け板部
４２２  戸当り部
４３    連結板部
４４    側板部
５    上部掴み金具
５ａ  第１のＬ字型部材
５ｂ  第２のＬ字型部材
５ｃ  上部接続部材
５ｄ  コ字型部材
５１〜５４  ボルト
５０ｂ，５０ｃ，５０ｄ  貫通孔
５１１，５２１，５３１，５４１  ナット
６    下部掴み金具
６ａ  第３のＬ字型部材
６ｂ  第４のＬ字型部材
６ｃ  第５のＬ字型部材
６ｄ  コ字型部材
６１〜６３  ボルト
６６    長さ調整ボルト
６０ｂ，６０ｃ，６０ｄ  貫通孔
６１１，６２１，６３１，６６１  ナット
１００  ベランダ
１０１  手摺壁
１０２  建物躯体壁
１０３  開口部
【図１】
0003206467.tif 000003
【図２】
0003206467.tif 000004
【図３】
0003206467.tif 000005
【図４】
0003206467.tif 000006
【図５】
0003206467.tif 000007
【図６】
0003206467.tif 000008
【図７】
0003206467.tif 000009